(57)【特許請求の範囲】
【請求項１】
先端部に穿設された長溝（４０ｂ）の支持ブロック（１ｅ）側近傍の上縁に形成された水平状のストッパー（４０ｃ）を有する一対の垂直板状の支持板（４０ａ）と、前記ストッパー（４０ｃ）を挟んで前記長溝（４０ｂ）と反対側に位置する前記一対の支持板（４０ａ）に取着されたロッド（４０ｅ）とを有する支持部材（４０）、平板状のトレイ載置部（５０ａ）と、該トレイ載置部（５０ａ）に対して略垂直に延在する側枠（５０ｂ）と、該側枠（５０ｂ）に対して略垂直に前記トレイ載置部（５０ａ）と反対方向に延在する係止具取付部（５０ｃ）と、相対する垂直側部（５０ｆ）の先端部に形成された側面形状が略方形状の係止部（５０ｆ’）と、該係止部（５０ｆ’）に取着されているとともに前記支持板（４０ａ）に穿設された長溝（４０ｂ）に挿入される係合ピン（５０ｇ）とを有するトレイ取付部材（５０）、及び、前記トレイ取付部材（５０）を前記支持部材（４０）方向に付勢するための前記係合ピン（５０ｇ）と前記ロッド（４０ｅ）との間に張設された弾性部材（２０）とを有し、前記係止部（５０ｆ’）の前記ストッパー（４０ｃ）側に位置する上部角部（５０ｆ”）付近が前記ストッパー（４０ｃ）に当接することにより、前記トレイ取付部材（５０）と前記支持部材（４０）とが略水平状態に維持されるように構成されており、且つ、前記トレイ取付部材（５０）を、前記弾性部材（２０）の付勢力に抗して前記支持部材（４０）から離れる方向に動かして、前記係止部（５０ｆ’）と前記ストッパー（４０ｃ）との当接を解除することにより、前記トレイ取付部材（５０）を上方に回動することができるように構成されており、また、前記側枠（５０ｂ）に水平部分（５０ｂ’）を延設するとともに、該水平部分（５０ｂ’）と前記トレイ載置部（５０ａ）とを蝶番（５０ｈ）により連結することにより、前記側枠（５０ｂ）が、前記トレイ載置部（５０ａ）に対して回動可能に構成されており、更に、前記トレイ載置部（５０ａ）の下面に結合部材（ｖ１）が取着されているとともに、前記側枠（５０ｂ）の水平部分（５０ｂ’）の下面には、前記トレイ載置部（５０ａ）の下面に取着された結合部材（ｖ１）に接着可能な結合部材（ｖ２）が取着されていることを特徴とするケーブルクロージャ。
【発明の詳細な説明】
【０００１】
【発明の属する技術分野】
本発明は、光ファイバケーブル等の接続部或いは余長部を収納するためのケーブルクロージャに関するものである。
【０００２】
【従来の技術】
図７及び図８を用いて、従来のケーブルクロージャについて説明する。
【０００３】
光ファイバケーブル等の接続部或いは余長部を収納するためのケーブルクロージャＣは、前面に開口部１ａを有するケース本体１と該ケース本体１の開口部１ａを閉塞するケース蓋２とからなり、ケース蓋２の下端部は、ケース本体１の下端部に取着された枢軸３に枢支されている。また、ケース本体１ａには、光ファイバケーブル等をケース本体内に導入するケーブル導入口１ｂが形成されているとともに、ケーブル外被把持金具やテンションメンバー固定金具等が設けられており、更に、ケース本体１ａには、支持台４と該支持台４の先端に枢支されたトレイ支持金具５とが設けられており、トレイ支持金具５には、トレイＴが多段に取り付けられている。なお、６は、ケース本体１に形成された半円形状凹部１ｃとケース蓋２に形成された半円形状凹部２ａとにより形成されるケーブル導入口である。
【０００４】
ケース本体１の上部には、架空用支持金具１ｄが設けられており、この架空用支持金具１ｄを利用して、ケース本体１の開口部１ａがケース蓋２により閉塞されたケーブルクロージャＣを、架設用ワイヤロープＷに吊り下げるように構成されている。
【０００５】
光ファイバ心線等の接続換え等を行う際には、ケース本体１にケース蓋２を取り付けている適当数の締め付けボルト７を取り外した後、図７に示されているように、枢軸３を中心に、ケース本体１に対して、略９０°の位置までケース蓋２を回動させる。次いで、トレイ支持金具５を、ケース本体１に取り付けている止めネジ８を取り外して、図７に実線で示されているトレイＴが多段に取り付けられているトレイ支持金具５を、図７に二点鎖線で示されているように、トレイＴが略水平になるような位置まで回動させて、光ファイバ心線等の接続換え等を行う。
【０００６】
【発明が解決しようとする課題】
上述したように、光ファイバ心線等の接続換え等は、トレイ支持金具５を回動させて、トレイＴを略水平位置に維持した状態で行うが、従来のケーブルクロージャにおいては、トレイ支持金具５が、光ファイバ心線等の接続換え等の作業中に、誤って、水平位置から下方に回動するというトラブルが発生するという問題があった。このように、トレイ支持金具５が水平位置から下方に回動すると、トレイＴに収容されたファイバ心線等とトレイＴから導出されたファイバ心線等に、不必要な力が加わり、ファイバ心線等が損傷することになる。
【０００７】
本発明の目的は、上述した従来のケーブルクロージャが有する課題を解決することにある。
【０００８】
【課題を解決するための手段】
上記の目的を達成するため、本発明は、先端部に穿設された長溝（４０ｂ）の支持ブロック（１ｅ）側近傍の上縁に形成された水平状のストッパー（４０ｃ）を有する一対の垂直板状の支持板（４０ａ）と、前記ストッパー（４０ｃ）を挟んで前記長溝（４０ｂ）と反対側に位置する前記一対の支持板（４０ａ）に取着されたロッド（４０ｅ）とを有する支持部材（４０）、平板状のトレイ載置部（５０ａ）と、該トレイ載置部（５０ａ）に対して略垂直に延在する側枠（５０ｂ）と、該側枠（５０ｂ）に対して略垂直に前記トレイ載置部（５０ａ）と反対方向に延在する係止具取付部（５０ｃ）と、相対する垂直側部（５０ｆ）の先端部に形成された側面形状が略方形状の係止部（５０ｆ’）と、該係止部（５０ｆ’）に取着されているとともに前記支持板（４０ａ）に穿設された長溝（４０ｂ）に挿入される係合ピン（５０ｇ）とを有するトレイ取付部材（５０）、及び、前記トレイ取付部材（５０）を前記支持部材（４０）方向に付勢するための前記係合ピン（５０ｇ）と前記ロッド（４０ｅ）との間に張設された弾性部材（２０）とを有し、前記係止部（５０ｆ’）の前記ストッパー（４０ｃ）側に位置する上部角部（５０ｆ”）付近が前記ストッパー（４０ｃ）に当接することにより、前記トレイ取付部材（５０）と前記支持部材（４０）とが略水平状態に維持されるように構成されており、且つ、前記トレイ取付部材（５０）を、前記弾性部材（２０）の付勢力に抗して前記支持部材（４０）から離れる方向に動かして、前記係止部（５０ｆ’）と前記ストッパー（４０ｃ）との当接を解除することにより、前記トレイ取付部材（５０）を上方に回動することができるように構成されており、また、前記側枠（５０ｂ）に水平部分（５０ｂ’）を延設するとともに、該水平部分（５０ｂ’）と前記トレイ載置部（５０ａ）とを蝶番（５０ｈ）により連結することにより、前記側枠（５０ｂ）が、前記トレイ載置部（５０ａ）に対して回動可能に構成されており、更に、前記トレイ載置部（５０ａ）の下面に結合部材（ｖ１）が取着されているとともに、前記側枠（５０ｂ）の水平部分（５０ｂ’）の下面には、前記トレイ載置部（５０ａ）の下面に取着された結合部材（ｖ１）に接着可能な結合部材（ｖ２）を取着したものである。
【０００９】
【実施例】
以下に、本発明の実施例について説明するが、本発明の趣旨を越えない限り、何ら、本実施例に限定されるものではない。なお、支持台４と該支持台４の先端に枢支されたトレイ支持金具５以外の構成については、上述した従来のケーブルクロージャと実質的に同一であるので、支持台４と該支持台４の先端に枢支されたトレイ支持金具５以外の具体的な構成については、その説明を省略するとともに、同じ符号が使用されている。
【００１０】
上述した支持台４に相当する本発明の支持部材４０は、ケース本体１の適当な支持ブロック１ｅに、ネジ１０等の適当な固着具により取着された一対の垂直板状の支持板４０ａを有しており、支持板４０ａは、水平方向に所定の間隔を置いて配置されている。水平板４０ａの先端部には、支持板４０ａの長手方向に沿って、長溝４０ｂが形成されており、また、長溝４０ｂの支持ブロック１ｅ側近傍の上縁には、互いに離反する方向に延在する水平状のストッパー４０ｃが形成されている。更に、ストッパー４０ｃを挟んで、長溝４０ｂと反対側に位置する支持板４０ａには透孔４０ｄが穿設されており、該透孔４０ｄには、ロッド４０ｅが挿着されている。なお、４０ｆは、長溝４０ｂと反対側の支持板４０ａの端部に形成された折曲部４０ｇに穿設された、上記のネジ１０が挿通されるネジ孔である。
【００１１】
５０は、上述したトレイ支持金具５に相当する、板材を屈曲することにより形成されるトレイ取付部材であり、トレイ取付部材５０は、トレイＴが多段に載置される平板状のトレイ載置部５０ａと、トレイ載置部５０ａの先端部から、トレイ載置部５０ａに対して略直角に延在する側枠５０ｂと、該側枠５０ｂの先端部から、側枠５０ｂに対して略直角に、トレイ載置部５０ａと反対方向に延在する係止具取付部５０ｃと、側枠５０ｂと反対側に位置するトレイ載置部５０ａの先端部に形成されたトレイ載置部５０ａと同一面上に延在する幅狭部５０ｄと、幅狭部５０ｄに延設された幅狭部５０ｄより幅の広い略長方形状の連結部５０ｅとを有している。
【００１２】
トレイ取付部材５０の連結部５０ｅの長手方向両端部には、連結部５０ｅの面に対して略直交するとともに、側枠５０ｂと同じ方向に延在する垂直側部５０ｆが形成されている。垂直側部５０ｆは、連結部５０ｅを越えて外側に延在しており、垂直側部５０ｆの先端部には、側面形状が略方形状の係止部５０ｆ’が形成されている。また、係止部５０ｆ’の略中央部には、互いに、その先端が接近する方向に延びる係合ピン５０ｇが取着されている。
【００１３】
次に、支持部材４０とトレイ取付部材５０との連結手段について説明する。
【００１４】
トレイ取付部材５０の係止部５０ｆ’に取着された係合ピン５０ｇを、支持部材４０の支持板４０ａに穿設された長溝４０ｂに挿入するとともに、支持部材４０の支持板４０ａに穿設された長溝４０ｂに挿入された係合ピン５０ｇの先端部と、支持部材４０の支持板４０ａに穿設された透孔４０ｄに挿着されたロッド４０ｅとの間に、それぞれ、コイルスプリング２０の両端を係止させる。コイルスプリング２０により、トレイ取付部材５０が、支持部材４０方向に付勢されるように構成されており、トレイ取付部材５０の係止部５０ｆ’に取着された係合ピン５０ｇが、支持部材４０の支持板４０ａに穿設された長溝４０ｂのロッド４０ｅ側縁部に当接している。この状態においては、トレイ取付部材５０の係止部５０ｆ’のストッパー４０ｃ側角部５０ｆ”付近が、支持部材４０のストッパー４０ｃに当接しており、図２及び図３（ａ）に示されているように、トレイ取付部材５０と支持部材４０とが略水平状態に維持されており、トレイ取付部材５０が下方に回動することが防止されている。
【００１５】
トレイ取付部材５０と支持部材４０とが略水平となっている状態で、トレイ取付部材５０に載置されているトレイＴに収納されている光ファイバ心線の接続換え等の作業を行う。光ファイバ心線の接続換え等の作業が終了した際には、図３（ｂ）に示されているように、トレイ取付部材５０を、コイルスプリング２０の付勢力に抗して、支持部材４０から離れる方向に、略水平方向に移動させて、トレイ取付部材５０の係止部５０ｆ’のストッパー４０ｃ側角部５０ｆ”を、支持部材４０のストッパー４０ｃの係合から外し、その後、図３（ｃ）に示されているように、係合ピン５０ｇを中心に、トレイ取付部材５０を、支持部材４０に対して略直交するまで上方に回動させる。次いで、トレイ取付部材５０の係止具取付部５０ｃに穿設された透孔に挿着されている止めネジ８を、ケース本体１に形成されている図示されていないネジ孔に螺合させることにより、図１に示されているように、トレイ取付部材５０をケース本体１に取り付ける。その後、ケース本体１の開口部１ａをケース蓋２で閉塞し、締め付けボルト７により、ケース本体１にケース蓋２を取り付ける。
【００１６】
本発明においては、支持部材４０の支持板４０ａに穿設された長溝４０ｂに挿入された係合ピン５０ｇの先端部と、支持部材４０の支持板４０ａに穿設された透孔４０ｄに挿着されたロッド４０ｅとの間に張設されたコイルスプリング２０により、トレイ取付部材５０が、支持部材４０方向に付勢され、トレイ取付部材５０の係止部５０ｆ’のストッパー４０ｃ側角部５０ｆ”付近が、支持部材４０のストッパー４０ｃに当接しているので、作業中に不意に、トレイ取付部材５０が、支持部材４０から離れる方向に移動して、トレイ取付部材５０の係止部５０ｆ’と支持部材４０のストッパー４０ｃとの係合が外れて、トレイ取付部材５０が、自重により、係合ピン５０ｇを中心に、下方に回動するようなことが防止できる。
【００１７】
なお、上述した実施例においては、締め付けボルト７により、ケース蓋２をケース本体１に取り付ける例や、止めネジ８により、トレイ取付部材５０をケース本体１に取り付ける例が示されているが、締め付けボルト７や止めネジ８に限定されることなく、種々の固着手段を適用することができる。また、トレイ取付部材５０を、支持部材４０方向に付勢するものであれば、コイルスプリング２０に限定されることなく、ゴムバンド等の弾性部材を使用することができる。
【００１８】
次に、図４〜図６を用いて、本発明のケーブルクロージャの別の実施例について説明するが、この実施例においては、トレイ取付部材５０の構成が異なる以外は、上述した実施例と同じであるので、トレイ取付部材５０の上記実施例との相違点のみについて、以下に説明する。
【００１９】
本実施例においては、側枠５０ｂに、トレイ載置部５０ａと面一に形成された水平部分５０ｂ’を延設するとともに、側枠５０ｂとトレイ載置部５０ａとを、蝶番５０ｈにより連結し、水平状態のトレイ載置部５０ａに対して、側枠５０ｂを下方に回動可能に構成したものである。また、トレイ載置部５０ａの下面には、針状部材が密集した結合部材ｖ１を取着するとともに、該結合部材ｖ１に対応するように、同じく針状部材が密集した結合部材ｖ２を、側枠５０ｂの水平部分５０ｂ’の下面に取着して、側枠５０ｂを下方に回動させた際に、側枠５０ｂの結合部材ｖ２を、トレイ載置部５０ａの結合部材ｖ１に接着させて、側枠５０ｂがふらつかないように構成されている。トレイ取付部材５０のトレイ載置部５０ａに多段に取り付けられたトレイＴを略水平状態に維持して、光ファイバ心線等の接続換え等の作業を行う際に、側枠５０ｂが、図４において二点鎖線で示されているように、下方に回動するとともに、結合部材ｖ１、ｖ２により、側枠５０ｂがふらつかないように、側枠５０ｂがトレイ載置部５０ａに保持されているので、側枠５０ｂが、光ファイバ心線等の接続換え等の作業の邪魔にならない。結合部材ｖ１、ｖ２は、上述した針状部材が密集した部材に限らず、ループ、フックからなるベルクロファスナー等、種々の結合部材を用いることができる。
【００２０】
また、本実施例においては、垂直側部５０ｆの係止部５０ｆ’のトレイ載置部５０ａ側の上部角部５０ｈが円弧状に形成されている。このように、係止部５０ｆ’のトレイ載置部５０ａ側の上部角部５０ｈが円弧状に形成されているので、上述した図３（ｂ）に示されているように、トレイ取付部材５０を、コイルスプリング２０の付勢力に抗して、支持部材４０から離れる方向に、略水平方向に移動させることなく、図６（ａ）に示されているように、単に、トレイ取付部材５０を、係合ピン５０ｇを中心に上方に回動させると、トレイ取付部材５０の円弧状に形成された上部角部５０ｈが、支持部材４０のストッパー４０ｃのトレイ取付部材５０側の先端縁４０ｃ’に接触し、案内されながら、ストッパー４０ｃのトレイ取付部材５０側の先端縁４０ｃ’が、垂直側部５０ｆに形成された凹部５０ｉに入り込むまで、トレイ取付部材５０が回動し、その後、更に、トレイ取付部材５０を回動させると、図６（ｃ）に示されているように、垂直側部５０ｆに形成された凹部５０ｉに入り込んで垂直側部５０ｆと当接したストッパー４０ｃのトレイ取付部材５０側の先端縁４０ｃ’を支点として、トレイ取付部材５０が、支持部材４０に対して略直交するまで上方に回動する。次いで、トレイ取付部材５０の係止具取付部５０ｃに穿設された透孔に挿着されている止めネジ８を、ケース本体１に形成されている図示されていないネジ孔に螺合させることにより、図１に示されているように、トレイ取付部材５０をケース本体１に取り付ける。その後、ケース本体１の開口部１ａをケース蓋２で閉塞し、締め付けボルト７により、ケース本体１にケース蓋２を取り付ける。
【００２１】
上述したように、係止部５０ｆ’のトレイ載置部５０ａ側の上部角部５０ｈを円弧状に形成することにより、上述した図３（ｂ）に示されているように、トレイ取付部材５０を、コイルスプリング２０の付勢力に抗して、支持部材４０から離れる方向に、略水平方向に移動させることなく、単に、トレイ取付部材５０を、係合ピン５０ｇを中心に上方に回動させることにより、トレイ取付部材５０を、水平状態から、支持部材４０に対して略直交するまで上方に回動することができる。
【００２２】
上述した２つの実施例においては、トレイ取付部材５０を、水平状態から支持部材４０に対して上方に回動させる例を説明したが、図３（ｂ）及び図６（ｂ）に示されているトレイ取付部材５０の水平状態から、トレイ取付部材５０を、コイルスプリング２０の付勢力に抗して、支持部材４０から離れる方向に、略水平方向に移動させて、トレイ取付部材５０の係止部５０ｆ’のストッパー４０ｃ側角部５０ｆ”を、支持部材４０のストッパー４０ｃの係合から外し、その後、係合ピン５０ｇを中心に、トレイ取付部材５０を下方に回動させることもできる。この際、ケース蓋２は、下方に回動するトレイ取付部材５０の邪魔にならないように、ケース本体１の下方に位置するまで回動させておく。このように、トレイ取付部材５０を下方に略垂直状態に回動させることにより、ケース本体１の開口部１ａをより大きく開口することができ、ケース本体１内における種々の作業の作業性が向上することになる。
【００２３】
【発明の効果】
本発明は、以上説明したような構成を有しているので、以下に記載する効果を奏することができる。
【００２４】
作業中に不意に、トレイ取付部材が、支持部材から離れる方向に移動して、トレイ取付部材の係止部と支持部材のストッパーとの係合が外れて、トレイ取付部材が、自重により、下方に回動するようなことが防止できる。
【図面の簡単な説明】
【図１】図１は本発明のケーブルクロージャの一部切り欠きを含む側面図である。
【図２】図２は本発明のケーブルクロージャの要部斜視図である。
【図３】図３は本発明のケーブルクロージャの要部側面図である。
【図４】図４は本発明の他の実施例のケーブルクロージャの一部切り欠きを含む側面図である。
【図５】図５は本発明の他の実施例のケーブルクロージャの要部斜視図である。
【図６】図６は本発明のの他の実施例のケーブルクロージャの要部側面図である。
【図７】図７は従来のケーブルクロージャの側面図である。
【図８】図８はケース本体がケース蓋により閉塞された状態のケーブルクロージャの側面図である。
【符号の説明】
Ｃ・・・・・・・・ケーブルクロージャ
Ｔ・・・・・・・・トレイ
１・・・・・・・・ケース本体
２・・・・・・・・ケース蓋
２０・・・・・・・コイルスプリング
４０・・・・・・・支持部材
４０ｃ・・・・・・ストッパー
４０ｅ・・・・・・ロッド
５０・・・・・・・トレイ取付部材
５０ｆ’・・・・・係止部
５０ｇ・・・・・・係合ピン
【図１】
0003720619.tif 000002
【図２】
0003720619.tif 000003
【図３】
0003720619.tif 000004
【図４】
0003720619.tif 000005
【図５】
0003720619.tif 000006
【図６】
0003720619.tif 000007
【図７】
0003720619.tif 000008
【図８】
0003720619.tif 000009